(57)【要約】      （修正有）【課題】液晶表示装置のコントラストの低下を抑制する。【解決手段】透明基材層２１、その一方の面に配置され開口部を有する遮光層２３、および開口部に配置された着色層を有するカラーフィルタ部材２と、液晶材料を含有する第１の位相差層１１Ａを有する第１の光学機能部材１Ａと、カラーフィルタ部材の透明基材層側の面に配置され、液晶材料を含有する第２の位相差層１１Ｂを有する第２の光学機能部材１Ｂと、を備えるカラーフィルタ基板１０であって、カラーフィルタ部材２が、表示領域と、表示領域の外側に位置する非表示領域と、を有し、遮光層２３が、表示領域に位置する画素区分用遮光部２３ａと、上記非表示領域に位置する額縁遮光部２３ｂとを有し、カラーフィルタ部材２が、非表示領域に配置され、額縁遮光部２３ｂの透明基材層２１側の面とは反対側の面に配置された枕部２５をさらに有する、カラーフィルタ基板。【選択図】図１
2020003758.tif 000002
【特許請求の範囲】
【請求項１】
透明基材層、前記透明基材層の一方の面に配置され、開口部を有する遮光層、および前記開口部に配置された着色層を有するカラーフィルタ部材と、
前記カラーフィルタ部材の前記着色層側の面に配置され、液晶材料を含有する第１の位相差層を有する第１の光学機能部材と、
前記カラーフィルタ部材の前記透明基材層側の面に配置され、液晶材料を含有する第２の位相差層を有する第２の光学機能部材と、
を備えるカラーフィルタ基板であって、
前記カラーフィルタ部材が、表示領域と、前記表示領域の外側に位置する非表示領域と、を有し、
前記遮光層が、前記表示領域に位置する画素区分用遮光部と、前記非表示領域に位置する額縁遮光部と、を有し、
前記カラーフィルタ部材が、前記非表示領域に配置され、前記額縁遮光部の前記透明基材層側の面とは反対側の面に配置された枕部をさらに有する、カラーフィルタ基板。
【請求項２】
前記額縁遮光部および前記枕部の合計厚みが、前記着色層の厚み±０．４μｍ以内である、請求項１に記載のカラーフィルタ基板。
【請求項３】
前記第１の光学機能部材の前記第１の位相差層と前記第２の光学機能部材の前記第２の位相差層とは、波長分散性および位相差値の熱変化特性が同一である、請求項１または請求個２に記載のカラーフィルタ基板。
【請求項４】
前記第１の光学機能部材の前記第１の位相差層と前記第２の光学機能部材の前記第２の位相差層とは、前記液晶材料が同一である、請求項１から請求項３までのいずれかの請求項に記載のカラーフィルタ基板。
【請求項５】
前記第１の光学機能部材が、前記カラーフィルタ部材に直接配置された第１の配向層および前記第１の位相差層の積層体であり、
前記第２の光学機能部材が、前記カラーフィルタ部材に直接配置された第２の配向層および前記第２の位相差層の積層体である、請求項１から請求項４までのいずれかの請求項に記載のカラーフィルタ基板。
【請求項６】
請求項１から請求項５までのいずれかの請求項に記載のカラーフィルタ基板と、対向基板と、前記カラーフィルタ基板および前記対向基板の間に配置された液晶層と、を有する、液晶パネルを少なくとも備える、液晶表示装置。
【請求項７】
請求項６に記載の液晶表示装置に用いられる積層体であって、
前記カラーフィルタ部材と、
前記カラーフィルタ部材の前記着色層側の面に配置され、液晶材料を含有する第１の位相差層を有する第１の光学機能部材と、
を有する、積層体。
【発明の詳細な説明】
【技術分野】
【０００１】
本開示は、カラーフィルタ基板、液晶表示装置、および液晶表示装置に用いられる積層体に関する。
【背景技術】
【０００２】
近年、パーソナルコンピューター、特に携帯用のパーソナルコンピューターの発達に伴い、液晶表示装置の需要が増している。また、最近では、家庭用の液晶テレビの普及率も高まっており、スマートフォン、タブレット端末も広く普及しつつあることから、益々液晶表示装置の市場は拡大する状況にある。
【０００３】
液晶表示装置は、一般に、カラーフィルタ基板、対向基板およびこれらの間に配置された液晶層を有する液晶パネルを有する。また、液晶表示装置は、例えば、バックライト光源、第１の直線偏光板、液晶パネルおよび第２の直線偏光板の順に配置された構成を有する。
【０００４】
最近では、スマートフォン等の普及により液晶表示装置は、屋内だけではなく、屋外においても頻繁に使用されるようになってきている。液晶表示装置は、例えば、屋外等の明るい環境下において表示が見えにくい。すなわち、液晶表示装置においては、明環境における表示視認性を向上させることが求められている。明環境における表示視認性を向上させる技術としては、例えば、観察者側の最表面における前面板に反射防止フィルムを配置する技術がある。また、特許文献１には、液晶表示素子の前面に保護板を備えた液晶ディスプレイにおいて、上記液晶表示素子が、第一の硝子板と、該第一の硝子板の内側裏面に形成された開口部分を有する制光子と、少なくとも外側表面に偏光子を固着された第二の硝子板と、上記第一の硝子板の内側と上記第二の硝子板の内側との間に封止された液晶と、該液晶と上記制光子との間に挿置されかつその光学主軸が上記偏光子の光学主軸に対し略４５°傾けられた１／４波長板と、を備えて構成され、かつ、上記保護板が、偏光子と、該偏光子の裏面側に固着されその光学主軸が該偏光子の光学主軸に対し略４５°傾けられた１／４波長板とを備えて構成されている、液晶ディスプレイが開示されている。
【先行技術文献】
【特許文献】
【０００５】
【特許文献１】特開平３−１５６４２０号公報
【特許文献２】特開平１１−５２３５１号公報
【特許文献３】特開２００４−１４５０９２号公報
【特許文献４】特開２００８−２０３９０１号公報
【特許文献５】特開２００８−２０３９０２号公報
【特許文献６】特開２０１０−３９３３０号公報
【特許文献７】特開２００９−２５８１９４号公報
【特許文献８】特開２００８−２４２００１号公報
【特許文献９】特開２００９−１７５４９９号公報
【発明の概要】
【発明が解決しようとする課題】
【０００６】
上述したように、液晶表示装置においては、明環境における表示視認性を向上させることが求められている。明環境において表示視認性が低い理由の一つとしては、液晶パネルの内部における外光の反射光が観察者によって観察されることが挙げられる。本開示の発明者らは、液晶パネルの内部における外光の反射を抑制するため、二つの光学機能部材の間にカラーフィルタ部材が配置される構成を検討したところ、上記構成を有する液晶表示装置においては、コントラストが低下するとの課題が生じることを知見した。
【０００７】
そこで、本開示の発明者らは、コントラストの低下の原因を詳細に検討した。その結果、カラーフィルタ部材における表示領域および非表示領域の境界部分での段差が、コントラストを低下させる要因となることを見出した。一般に、カラーフィルタ部材においては、表示領域に着色層が配置され、非表示領域に額縁遮光部が配置されており、着色層の厚みと額縁遮光部の厚みとは同一ではない場合が多い。そのため、表示領域および非表示領域の境界部分では、着色層および額縁遮光部の厚みの差による段差が生じる。カラーフィルタ部材において表示領域および非表示領域の境界部分に段差があると、カラーフィルタ部材の着色層側の面に配置される光学機能部材では、表示領域および非表示領域の境界部分で、位相差層の厚みが不均一となり、位相差値が不均一となる。そのため、二つの光学機能部材の間にカラーフィルタ部材が配置される構成において、表示領域および非表示領域の境界部分で、カラーフィルタ部材の着色層側の面に配置される一方の光学機能部材と、カラーフィルタ部材の着色層側の面とは反対側の面に配置される他方の光学機能部材とで、位相差量に差異が生じる。そのため、表示領域および非表示領域の境界部分で、暗表示時に光漏れが生じ、暗コントラストが著しく低下する。
【０００８】
なお、二つの光学機能部材の間にカラーフィルタ部材が配置されている構成ではないが、カラーフィルタ基板の表面を平坦化する技術（特許文献２〜３）や、半透過反射型液晶表示装置において、カラーフィルタ基板の段差の影響を少なくする技術（特許文献４〜６）や、半透過反射型液晶表示装置において、透過部および反射部の段差を低減する技術（特許文献７〜９）が提案されている。
【０００９】
本開示は、上記実情に鑑みてなされた発明であり、液晶表示装置のコントラストの低下を抑制することができるカラーフィルタ基板、これを用いた液晶表示装置、および液晶表示装置に用いられる積層体を提供することを主目的とする。
【課題を解決するための手段】
【００１０】
本開示は、透明基材層、上記透明基材層の一方の面に配置され、開口部を有する遮光層、および上記開口部に配置された着色層を有するカラーフィルタ部材と、上記カラーフィルタ部材の上記着色層側の面に配置され、液晶材料を含有する第１の位相差層を有する第１の光学機能部材と、上記カラーフィルタ部材の上記透明基材層側の面に配置され、液晶材料を含有する第２の位相差層を有する第２の光学機能部材と、を備えるカラーフィルタ基板であって、上記カラーフィルタ部材が、表示領域と、上記表示領域の外側に位置する非表示領域と、を有し、上記遮光層が、上記表示領域に位置する画素区分用遮光部と、上記非表示領域に位置する額縁遮光部と、を有し、上記カラーフィルタ部材が、上記非表示領域に配置され、上記額縁遮光部の上記透明基材層側の面とは反対側の面に配置された枕部をさらに有する、カラーフィルタ基板を提供する。
【００１１】
本開示によれば、カラーフィルタ部材が、非表示領域に配置され、額縁遮光部の透明基材層側の面とは反対側の面に配置された枕部を有することにより、液晶表示装置における暗コントラストの低下を抑制することができるカラーフィルタ基板とすることができる。
【００１２】
本開示においては、上記額縁遮光部および上記枕部の合計厚みが、上記着色層の厚み±０．４μｍ以内であることが好ましい。額縁遮光部および枕部の合計厚みを着色層の厚みとほぼ同一にすることにより、表示領域と非表示領域との段差を低減することができ、液晶表示装置における暗コントラストの低下を効果的に抑制することができる。
【００１３】
本開示においては、上記第１の光学機能部材の上記第１の位相差層と上記第２の光学機能部材の上記第２の位相差層とは、波長分散性および位相差値の熱変化特性が同一であることが好ましい。液晶表示装置におけるコントラストの低下を抑制することができるカラーフィルタ基板とすることができるからである。
【００１４】
本開示においては、上記第１の光学機能部材の上記第１の位相差層と上記第２の光学機能部材の上記第２の位相差層とは、上記液晶材料が同一であることが好ましい。第１の光学機能部材の第１の位相差層および第２の光学機能部材の第２の位相差層における波長分散性および位相差値の熱による変化特性の同一性を高くすることができるため、光学機能部材および第２の光学機能部材の光学補償状態を良好にすることができるからである。
【００１５】
本開示においては、上記第１の光学機能部材が、上記カラーフィルタ部材に直接配置された第１の配向層および上記第１の位相差層の積層体であり、上記第２の光学機能部材が、上記カラーフィルタ部材に直接配置された第２の配向層および上記第２の位相差層の積層体であることが好ましい。カラーフィルタ部材の着色層側の配置される第１の光学機能部材の第１の位相差層およびカラーフィルタ部材の透明基材層側の面に配置される第２の光学機能部材の第２の位相差層の光軸、厚み等をより高い精度で合わせることができるため、第１の光学機能部材および第２の光学機能部材の光学補償状態を良好にすることができるからである。
【００１６】
本開示は、上述のカラーフィルタ基板と、対向基板と、上記カラーフィルタ基板および上記対向基板の間に配置された液晶層と、を有する、液晶パネルを少なくとも備える、液晶表示装置を提供する。
【００１７】
本開示によれば、上述のカラーフィルタ基板を有することにより、液晶パネルにおける外光反射が抑制され、コントラストの低下が抑制された液晶表示装置とすることができる。
【００１８】
本開示は、上述の液晶表示装置に用いられる積層体であって、上記カラーフィルタ部材と、上記カラーフィルタ部材の上記着色層側の面に配置され、液晶材料を含有する第１の位相差層を有する第１の光学機能部材と、を有する、積層体を提供する。
【００１９】
本開示によれば、上述した積層構造を有することにより、積層構造を基準として、第１の光学機能部材側の面とは反対側の面に、さらに第２の光学機能部材を配置することにより、上述した液晶表示装置を得ることができる。
【発明の効果】
【００２０】
本開示のカラーフィルタ基板は、液晶表示装置のコントラストの低下を抑制することができるという効果を奏する。
【図面の簡単な説明】
【００２１】
【図１】本開示のカラーフィルタ基板を例示する概略断面図である。
【図２】本開示における光学機能部材の光学補償状態を説明する説明図である。
【図３】本開示の液晶表示装置を例示する概略断面図である。
【図４】本開示の液晶表示装置における光源光および外光の挙動を説明する説明図である。
【図５】従来のカラーフィルタ基板を例示する概略断面図である。
【図６】本開示のカラーフィルタ基板を例示する概略断面図である。
【図７】位相差層の液晶材料の配向状態を説明する説明図である。
【図８】位相差層の液晶材料の配向状態を説明する説明図である。
【図９】位相差層の波長分散性について説明する説明図である。
【図１０】本開示のカラーフィルタ基板を例示する概略断面図である。
【図１１】本開示のカラーフィルタ基板の製造方法を例示する工程図である。
【図１２】本開示のカラーフィルタ基板を例示する概略断面図である。
【図１３】アニール処理の条件の決定方法の一例を示すグラフである。
【図１４】本開示の積層体を例示する概略断面図である。
【図１５】実施例および比較例の積層体を例示する概略断面図である。
【発明を実施するための形態】
【００２２】
下記に、図面等を参照しながら本開示の実施の形態を説明する。ただし、本開示は多くの異なる態様で実施することが可能であり、下記に例示する実施の形態の記載内容に限定して解釈されるものではない。また、図面は説明をより明確にするため、実際の形態に比べ、各部の幅、厚さ、形状等について模式的に表わされる場合があるが、あくまで一例であって、本開示の解釈を限定するものではない。また、本明細書と各図において、既出の図に関して前述したものと同様の要素には、同一の符号を付して、詳細な説明を適宜省略することがある。
【００２３】
本開示は、カラーフィルタ基板、液晶表示装置、および液晶表示装置に用いられる積層体に関する技術である。
【００２４】
上述したように、例えば、屋外等の明るい環境下において、液晶表示装置の表示をより見やすくすることが求められている。明環境において表示視認性が低い理由の一つとしては、液晶パネルの内部における外光の反射光が観察者から観察されることが挙げられる。本開示の発明者らは、液晶パネル内部における外光反射を抑制するため、λ／４板として機能する光学機能部材とカラーフィルタ部材とを組み合わせて配置することを検討した。具体的には、二つの光学機能部材の間にカラーフィルタ部材を配置することを検討した。上記配置とすることにより、観察者側に配置される光学機能部材を、観察者側に配置される直線偏光板とともに用いることで、円偏光板として機能させることができ、外光を吸収できると考えられる。また、二つの光学機能部材が互いに位相差を相殺し合う光学補償状態を取るようにすることで、バックライト光の透過を阻害しないようにすることができると考えられる。
【００２５】
しかしながら、本開示の発明者らは、更なる検討を進める中で、二つの光学機能部材の間にカラーフィルタ部材が配置された液晶表示装置においては、コントラストが低下するとの課題が生じることを知見した。
【００２６】
本開示の発明者らは、さらに検討を重ねた結果、コントラストが低下する理由について以下のことを知見した。すなわち、カラーフィルタ部材における表示領域および非表示領域の境界部分での段差が、コントラストを低下させる要因となることを見出した。一般に、カラーフィルタ部材においては、表示領域に着色層が配置され、非表示領域に額縁遮光部が配置されており、着色層の厚みと額縁遮光部の厚みとは同一ではない場合が多い。そのため、表示領域および非表示領域の境界部分では、着色層および額縁遮光部の厚みの差による段差が生じる。カラーフィルタ部材の着色層側の面に配置される光学機能部材では、液晶材料を含有する位相差層は、カラーフィルタ部材の着色層側の面に液晶材料を塗布して形成される。そのため、カラーフィルタ部材において表示領域および非表示領域の境界部分に段差があると、カラーフィルタ部材の着色層側の面に配置される光学機能部材では、表示領域および非表示領域の境界部分で、位相差層の厚みが不均一となり、位相差値が不均一となってしまう。その結果、表示領域および非表示領域の境界部分では、カラーフィルタ部材の着色層側の面に配置される一方の光学機能部材の位相差層と、カラーフィルタ部材の着色層側の面とは反対側の面に配置される他方の光学機能部材の位相差層とで、位相差量に差異が生じる。これにより、表示領域および非表示領域の境界部分では、二つの光学機能部材の光学補償状態が崩れるため、コントラストが低下する。特に、暗表示時に光漏れが生じ、暗コントラストが著しく低下する。
【００２７】
以上から、本開示の発明者らは、液晶表示装置のコントラストの低下を抑制可能とする、以下のカラーフィルタ基板、これを用いた液晶表示装置、および液晶表示装置に持ちいれる積層体を完成させた。以下、詳細を説明する。
【００２８】
Ａ．カラーフィルタ基板
本開示のカラーフィルタ基板は、透明基材層、上記透明基材層の一方の面に配置され、開口部を有する遮光層、および上記開口部に配置された着色層を有するカラーフィルタ部材と、上記カラーフィルタ部材の上記着色層側の面に配置され、液晶材料を含有する第１の位相差層を有する第１の光学機能部材と、上記カラーフィルタ部材の上記透明基材層側の面に配置され、液晶材料を含有する第２の位相差層を有する第２の光学機能部材と、を備えるカラーフィルタ基板であって、上記カラーフィルタ部材が、表示領域と、上記表示領域の外側に位置する非表示領域と、を有し、上記遮光層が、上記表示領域に位置する画素区分用遮光部と、上記非表示領域に位置する額縁遮光部と、を有し、上記カラーフィルタ部材が、上記非表示領域に配置され、上記額縁遮光部の上記透明基材層側の面とは反対側の面に配置された枕部をさらに有する。
【００２９】
本開示のカラーフィルタ基板について、図を用いて説明する。図１は本開示のカラーフィルタ基板の一例を示す概略断面図である。図１に示すように、本開示のカラーフィルタ基板１０は、透明基材層２１、透明基材層２１の一方の面に配置され、開口部２３ｃを有する遮光層２３、および開口部２３ｃに配置された着色層２２を有するカラーフィルタ部材２と、カラーフィルタ部材２の着色層２２側の面に配置され、液晶材料を含有する第１の位相差層１１Ａを有する第１の光学機能部材１Ａと、カラーフィルタ部材２の透明基材層２１側の面に配置され、液晶材料を含有する第２の位相差層１１Ｂを有する第２の光学機能部材１Ｂと、を備える。すなわち、本開示のカラーフィルタ基板１０は、第１の光学機能部材１Ａおよび第２の光学機能部材１Ｂと、第１の光学機能部材１Ａおよび第２の光学機能部材１Ｂの間に配置されたカラーフィルタ部材２とを備える。
【００３０】
本開示においては、カラーフィルタ部材２は、表示領域２６と、表示領域２６の外側に位置する非表示領域２７と、を有する。また、カラーフィルタ部材２において、遮光層２３は、表示領域２６に位置する画素区分用遮光部２３ａと、非表示領域２７に位置する額縁遮光部２３ｂと、を有する。そして、カラーフィルタ部材２は、非表示領域２７に配置され、額縁遮光部２３ｂの透明基材層２１側の面とは反対側の面に配置された枕部２５をさらに有する。
【００３１】
図１に示すように、カラーフィルタ部材２は、透明基材層２１と、透明基材層２１の一方の面に配置され、開口部２３ｃを有する遮光層２３と、開口部２３ｃに配置された着色層２２とを少なくとも有する。図１においては、着色層２２として、赤色着色層２２Ｒ、緑色着色層２２Ｇおよび青色着色層２２Ｂを有する例を示している。また、カラーフィルタ部材２においては、着色層２２の透明基材層２１側の面とは反対側の面に保護層２４が配置されていてもよい。
【００３２】
本開示においては、図１に示すように、第１の光学機能部材１Ａは、カラーフィルタ部材２に直接配置された第１の配向層１２Ａおよび第１の位相差層１１Ａとの積層体であってもよい。同様に、第２の光学機能部材１Ｂは、カラーフィルタ部材２に直接配置された第２の配向層１２Ｂおよび第２の位相差層１１Ｂとの積層体であってもよい。
【００３３】
なお、本明細書において、カラーフィルタ部材の着色層側に配置される光学機能部材を第１の光学機能部材と称し、カラーフィルタ部材の透明基材層側に配置される光学機能部材を第２の光学機能部材と称する。また、第１の光学機能部材が有する位相差層を第１の位相差層と称し、第２の光学機能部材が有する位相差層を第２の位相差層と称する。また、第１の光学機能部材が有する配向層を第１の配向層と称し、第２の光学機能部材が有する配向層を第２の配向層と称する。
【００３４】
第１の光学機能部材および第２の光学機能部材の配置について図を用いて説明する。図２（ａ）〜図２（ｃ）は本開示における第１の光学機能部材および第２の光学機能部材の配置を説明する説明図である。本開示においては、図２（ａ）に示すように、第１の光学機能部材１Ａおよび第２の光学機能部材１Ｂは、互いの第１の位相差層および第２の位相差層の位相差を相殺し合う（打ち消し合う）光学補償状態を有するように配置される。ここでは、第１の光学機能部材１Ａおよび第２の光学機能部材１Ｂがλ／４部材として機能する場合を例に挙げて説明する。第１の光学機能部材１Ａおよび第２の光学機能部材１Ｂは、それらの第１の位相差層の光軸ｘ１および第２の位相差層の光軸ｘ２が直交するように配置される。
【００３５】
光学補償状態について、図２（ａ）においては、第１の光学機能部材１Ａおよび第２の光学機能部材１Ｂにおいて、一方の第１の光学機能部材１Ａ側から直線偏光Ｌｌｉｎｅ（０）が入射した場合の具体例を挙げて説明する。まず、直線偏光Ｌｌｉｎｅ（０）は、第１の光学機能部材１Ａに入射することで、その振動方向には、第１の光学機能部材１Ａの光軸方向に位相差が−λ／４生じる。その結果、直線偏光Ｌｌｉｎｅ（０）は円偏光Ｌｃに変換される。次に円偏光Ｌｃは、第２の光学機能部材１Ｂに入射することで、その振動方向には、第２の光学機能部材１Ｂの光軸方向に位相差が−λ／４生じる。その結果、円偏光Ｌｃは、再度、偏光方向Ｄｌｉｎｅ（０）である直線偏光Ｌｌｉｎｅ（０）に変換される。このように、直線偏光Ｌｌｉｎｅ（０）に対し、第１の光学機能部材１Ａおよび第２の光学機能部材１Ｂは、互いに位相差が打ち消し合うため、実効的に作用していない。そのため、図２（ｂ）に示すように、二つの直線偏光板４０Ａおよび４０Ｂの間に、第１の光学機能部材１Ａおよび第２の光学機能部材１Ｂを配置した場合は、図２（ｃ）に示すように、二つの直線偏光板４０Ａおよび４０Ｂの間に第１の光学機能部材および第２の光学機能部材を配置しない場合と同様に、直線偏光Ｌｌｉｎｅ（０）を進行させることができる。例えば、直線偏光板４０Ａおよび４０Ｂの偏光方向が直交する場合、直線偏光Ｌｌｉｎｅ（０）は直線偏光板４０Ｂによって吸収される。なお、図２（ｃ）においては、説明の容易のため、存在しない第１の光学機能部材および第２の光学機能部材を破線で示している。
【００３６】
図３は本開示のカラーフィルタ基板を用いた液晶表示装置の一例を示す概略断面図である。図３に示すように、本開示の液晶表示装置１００は、カラーフィルタ基板１０と、対向基板２０と、カラーフィルタ基板１０および対向基板２０の間に配置された液晶層３０とを有する、液晶パネル１００Ａを少なくとも備える。液晶表示装置１００は、例えば、バックライト５０、第１の直線偏光板４０Ａ、第２の直線偏光板４０Ｂをさらに有していてもよい。第１の直線偏光板４０Ａ、第２の直線偏光板４０Ｂは、例えば、偏光方向が直交するように配置される。
【００３７】
図４は、図３に示す液晶表示装置における光源光（透過光）および外光（反射光）の挙動について説明する説明図である。なお、説明の容易のため、図４においては対向基板を省略して示している。
【００３８】
まず、光源光Ｔの挙動について説明する。
液晶表示装置１００においてバックライト５０から照射された光源光Ｔは、あらゆる振動方向の光を含む自然光Ｌｏｍである。液晶表示装置１００においては、光源光Ｔにおける自然光Ｌｏｍの中から一方向の振動方向を有する直線偏光Ｌｌｉｎｅ（０）が第１の直線偏光板４０Ａから出射され、液晶層３０へ入射される。直線偏光Ｌｌｉｎｅ（０）は、明表示では、液晶層３０における液晶材料によって、例えば、位相差が＋λ／２生じることで、直線偏光Ｌｌｉｎｅ（９０）に変換される。次に、直線偏光Ｌｌｉｎｅ（９０）は、第１の光学機能部材１Ａに入射されることで円偏光Ｌｃに変換される。円偏光Ｌｃは、カラーフィルタ部材２に入射され、さらに第２の光学機能部材１Ｂに入射されることで円偏光Ｌｃから直線偏光Ｌｌｉｎｅ（９０）に変換される。直線偏光Ｌｌｉｎｅ（９０）は、第２の直線偏光板４０Ｂの偏光方向と平行な振動方向を有する。そのため、直線偏光Ｌｌｉｎｅ（９０）は、第２の直線偏光板４０Ｂを透過して、観察者に観察される。
【００３９】
次に、外光Ｒの挙動について説明する。
液晶表示装置１００においては、外光Ｒは全方位光Ｌｏｍである。外光Ｒは第２の直線偏光板４０Ｂに入射されることで、全方位光Ｌｏｍの中から一方向の振動方向を有する直線偏光Ｌｌｉｎｅ（９０）が選択される。直線偏光Ｌｌｉｎｅ（９０）は、第２の光学機能部材１Ｂに入射されることで円偏光Ｌｃに変換される。次に、円偏光Ｌｃがカラーフィルタ部材２の構成により反射されることで、位相がλ／２分変化する。例えば、反射前の円偏光Ｌｃが右回りの円偏光である場合、反射後の円偏光Ｌｃ（Ｒｅｖ）は左回りの円偏光となる。反射された円偏光Ｌｃ（Ｒｅｖ）は、再度、第２の光学機能部材１Ｂに入射されることで直線偏光Ｌｌｉｎｅ（０）に変換される。直線偏光Ｌｌｉｎｅ（０）は、第２の直線偏光板４０Ｂの偏光方向に対して振動方向が直交するため、第２の直線偏光板４０Ｂを透過することができない。そのため、観察者からは直線偏光Ｌｌｉｎｅ（０）は、観察されない。よって、外光反射による視認性の低下を抑制することができる。
【００４０】
上述したように、本開示のカラーフィルタ基板を用いた液晶表示装置においては、第１の光学機能部材の第１の位相差層および第２の光学機能部材の第２の位相差層が互いに位相差を相殺し合う光学補償状態を取るようにすることで、明表示では、光源光の透過を阻害しないようにすることができる。また、図示しないが、暗表示では、光源光が透過しないようにすることができる。そのため、第１の光学機能部材の第１の位相差層および第２の光学機能部材の第２の位相差層の位相差値が同じであることが好ましい。
【００４１】
ここで、一般に、カラーフィルタ部材においては、表示領域に着色層が配置され、非表示領域に額縁遮光部が配置されており、着色層の厚みと額縁遮光部の厚みとは同一ではない場合が多い。そのため、表示領域と非表示領域との境界部分では、着色層および額縁遮光部の厚みの差による段差が生じる。その結果、カラーフィルタ部材の着色層側の面に配置される第１の光学機能部材において、カラーフィルタ部材の着色層および額縁遮光部の上面に配置される第１の位相差層では、表示領域と非表示領域との境界部分で、厚みが不均一になり、位相差値のばらつきが大きくなってしまう傾向にある。そのため、表示領域と非表示領域との境界部分で、カラーフィルタ部材の着色層側の面に配置される第１の光学機能部材の第１の位相差層と、カラーフィルタ部材の透明基材層側の面に配置される第２の光学機能部材の第２の位相差層とで、位相差量にズレが発生しやすくなってしまう。この点について、図面を用いて説明する。
【００４２】
図５は従来のカラーフィルタ基板の一例を示す概略断面図である。図５に示すカラーフィルタ基板１１０は、図１に示すカラーフィルタ基板１０に対して、カラーフィルタ部材２が枕部を有さない点で異なる。図５に示すように、表示領域２６と非表示領域２７との境界部分では、着色層２２および額縁遮光部２３ｂの厚みの差による段差が生じている。そのため、着色層２２および額縁遮光部２３ｂの上面に液晶材料を塗布して第１の位相差層１１Ａを形成する場合、第１の位相差層１１Ａにも上記段差が反映されてしまう。その結果、第１の位相差層１１Ａでは、表示領域２６と非表示領域２７との境界部分で、厚みが不均一になりやすく、位相差値のばらつきが大きくなりやすくなる。一方、透明基材層２１の着色層２２側の面とは反対側の面に液晶材料を塗布して第２の位相差層１１Ｂを形成する場合、第２の位相差層１１Ｂでは、通常、厚みが均一になる。
【００４３】
したがって、表示領域および非表示領域の境界部分において、カラーフィルタ部材の透明基材層側の面に配置される第２の光学機能部材の第２の位相差層は厚みが均一であるのに対して、カラーフィルタ部材の着色層側の面に配置される第１の光学機能部材の第１の位相差層は厚みが不均一であるため、カラーフィルタ部材の着色層側の面に配置される第１の光学機能部材の第１の位相差層と、カラーフィルタ部材の透明基材層側の面に配置される第２の光学機能部材の第２の位相差層とで、位相差量にズレが発生しやすくなってしまう。
【００４４】
なお、図５に示すように、カラーフィルタ部材２において、着色層２２および額縁遮光部２３ｂの上面に保護層２４が配置されている場合であっても、上記段差を十分に小さくすることは困難である。
【００４５】
本開示のカラーフィルタ基板を用いた液晶表示装置において、第１の光学機能部材の第１の位相差層および第２の光学機能部材の第２の位相差層で、位相差量にズレが生じると、光学補償状態が崩れるため、コントラストが低下してしまう。特に、暗表示時に光漏れが生じ、暗コントラストが著しく低下してしまう。
【００４６】
そこで、本開示においては、図１に示すように、カラーフィルタ部材２において、非表示領域２７に、かつ、額縁遮光部２３ｂの透明基材層２１側の面とは反対側の面に、枕部２５を配置している。非表示領域に、かつ、額縁遮光部の透明基材層側の面とは反対側の面に、枕部が配置されていることにより、着色層および額縁遮光部の厚みの差による段差の影響を小さくすることができる。そのため、第１の位相差層では、表示領域および非表示領域の境界部分で、厚みの不均一性を小さくすることができ、位相差値のばらつきを小さくすることができる。その結果、表示領域および非表示領域の境界部分において、第１の位相差層および第２の位相差層の厚みを合わせることができ、第１の位相差層の厚みの不均一による暗コントラストの低下を抑制することができる。
【００４７】
したがって、本開示によれば、液晶表示装置における暗コントラストの低下を抑制することができるカラーフィルタ基板とすることができる。
【００４８】
以下、本開示のカラーフィルタ基板について構成ごとに説明する。
【００４９】
１．カラーフィルタ部材
本開示におけるカラーフィルタ部材は、第１の光学機能部材および第２の光学機能部材の間に配置される部材である。本開示におけるカラーフィルタ部材は、透明基材層と、上記透明基材層の一方の面に配置され、開口部を有する遮光層と、上記開口部に配置された着色層とを有する。また、本開示におけるカラーフィルタ部材は、表示領域と、上記表示領域の外側に位置する非表示領域と、を有する。また、本開示におけるカラーフィルタ部材において、上記遮光層は、上記表示領域に位置する画素区分用遮光部と、上記非表示領域に位置する額縁遮光部と、を有する。さらに、本開示におけるカラーフィルタ部材は、上記非表示領域に配置され、上記額縁遮光部の上記透明基材層側の面とは反対側の面に配置された枕部を有する。
【００５０】
ここで、「表示領域」は、本開示のカラーフィルタ基板を液晶表示装置に用いた場合に、画像表示に用いられる領域、すなわちアクティブエリアとなる領域である。また、「非表示領域」は、本開示のカラーフィルタ基板を液晶表示装置に用いた場合に、非アクティブエリアとなる領域である。
【００５１】
（１）枕部
本開示における枕部は、非表示領域に配置され、額縁遮光部の透明基材層側の面とは反対側の面に配置される部材である。
【００５２】
枕部および後述の額縁遮光部の合計厚みは、着色層の厚み±０．４μｍ以内であることが好ましく、着色層の厚み±０．３μｍ以内であることがより好ましく、着色層の厚み±０．２μｍ以内であることがさらに好ましく、着色層の厚み±０．１μｍ以内であることが特に好ましい。額縁遮光部および枕部の合計厚みを着色層の厚みとほぼ同一にすることにより、表示領域と非表示領域との段差を低減することができ、液晶表示装置における暗コントラストの低下を効果的に抑制することができる。
【００５３】
枕部の厚みは、枕部および額縁遮光部の合計厚みが上記範囲内となる厚みであればよく、着色層および額縁遮光部の厚み等に応じて適宜調整される。具体的には、枕部の厚みは、０．５μｍ以上１．２μｍ以下であることが好ましく、中でも、０．５μｍ以上１．０μｍ以下であることが好ましく、特に、０．５μｍ以上０．８μｍ以下であることが好ましい。
【００５４】
枕部は、表示領域および非表示領域の境界部分で、着色層および額縁遮光部の厚みの差による段差を低減するために設けられる。そのため、枕部は、着色層に近接して配置される。枕部は、着色層に近接して配置されていればよく、例えば、図１に示すように、枕部２５が、枕部２５に近接する着色層２２（図１においては赤色着色層２２Ｒ）に接して配置されていてもよく、図６に示すように、枕部２５が、枕部２５に近接する着色層２２（図６においては赤色着色層２２Ｒ）に接しておらず、着色層２２（赤色着色層２２Ｒ）との間に間隙をあけて配置されていてもよい。
【００５５】
枕部が、枕部に近接する着色層に接している場合、枕部は、平面視上、着色層と重ならないように配置される。
【００５６】
また、枕部が、枕部に近接する着色層に接していない場合、枕部と枕部に近接する着色層との間の間隙の距離は、表示領域および非表示領域の境界部分で、第１の位相差層に段差を生じさせない程度であればよく、例えば、３０μｍ以下とすることができ、中でも２０μｍ以下であることが好ましく、特に１０μｍ以下であることが好ましい。なお、枕部と枕部に近接する着色層との間の間隙の距離は、例えば図６中のｄ１で示されるような、枕部２５と枕部２５に近接する着色層２２（赤色着色層２２Ｒ）との間の間隙の距離をいう。
【００５７】
また、枕部は、着色層に近接して配置されていればよく、例えば、図１に示すように、額縁遮光部２３ｂの透明基材層２１側の面とは反対側の面において、枕部２５が、着色層２２が配置されていない領域の全部に配置されていてもよく、図６に示すように、額縁遮光部２３ｂの透明基材層２１側の面とは反対側の面において、枕部２５が、着色層２２が配置されていない領域の一部に配置されていてもよい。
【００５８】
枕部が、額縁遮光部の透明基材層側の面とは反対側の面において、着色層が配置されていない領域の一部に配置されている場合、枕部は、例えば、少なくとも１画素分配置されていることが好ましく、中でも２画素分以上配置されていることが好ましく、特に３画素分以上配置されていることが好ましい。枕部が上記のように配置されていれば、表示領域および非表示領域の境界部分で、着色層および額縁遮光部の厚みの差による段差を十分に低減することができる。
【００５９】
枕部が上記のように配置されている場合、具体的には、枕部に近接する着色層の端部のうち、枕部に最も近接する着色層の端部から、枕部の端部のうち、着色層から最も離れた枕部の端部までの距離が、６０μｍ以上であることが好ましく、中でも７０μｍ以上であることが好ましく、特に８０μｍ以上であることが好ましい。なお、枕部に最も近接する着色層の端部から、着色層から最も離れた枕部の端部までの距離は、例えば図６中のｄ２で示されるような、枕部２５に最も近接する着色層２２（赤色着色層２２Ｒ）の端部から、着色層２２から最も離れた枕部２５の端部までの距離をいう。上記距離が上記範囲であることにより、表示領域および非表示領域の境界部分で、着色層および額縁遮光部の厚みの差による段差を十分に低減することができる。
【００６０】
枕部の材料は、所望の厚みを有する枕部を所定の領域に形成することができる材料であればよく、特に限定されない。枕部の材料としては、例えば、感光性ポリイミド樹脂、エポキシ樹脂およびアクリル樹脂等の光硬化型樹脂または熱硬化型樹脂、および無機材料等が挙げられる。また、枕部の材料は、重合開始剤や各種添加剤等を含有していてもよい。
【００６１】
枕部の形成方法としては、所望の厚みを有する枕部を所定の領域に形成することができる方法であれば特に限定されず、例えば、フォトリソグラフィ法、印刷法、インクジェット法等が挙げられる。
【００６２】
（２）着色層
本開示における着色層は、透明基材層の一方の面に配置され、後述の遮光層の開口部に配置される層である。
【００６３】
着色層は、例えば赤、緑、青の３色の着色層とすることができる。着色層の色としては、赤、緑、青の３色を少なくとも含むものであればよく、例えば、赤、緑、青の３色、赤、緑、青、黄の４色、または、赤、緑、青、黄、シアンの５色等とすることもできる。
【００６４】
着色層の厚みとしては、一般的なカラーフィルタに用いられる着色層の厚みと同様とすることができ、例えば１μｍ以上５μｍ以下で設定することができる。
【００６５】
着色層としては、例えば色材をバインダ樹脂中に分散させたものを用いることができる。着色層に用いられる色材としては、各色の顔料や染料等が挙げられる。例えば、赤色着色部に用いられる色材としては、例えば、ペリレン系顔料、レーキ顔料、アゾ系顔料、キナクリドン系顔料、アントラキノン系顔料、アントラセン系顔料、イソインドリン系顔料等が挙げられる。また、緑色着色層に用いられる色材としては、例えば、ハロゲン多置換フタロシアニン系顔料もしくはハロゲン多置換銅フタロシアニン系顔料等のフタロシアニン系顔料、トリフェニルメタン系塩基性染料、イソインドリン系顔料、イソインドリノン系顔料等が挙げられる。さらに、青色着色層に用いられる色材としては、例えば、銅フタロシアニン系顔料、アントラキノン系顔料、インダンスレン系顔料、インドフェノール系顔料、シアニン系顔料、ジオキサジン系顔料等が挙げられる。これらの顔料や染料は単独で用いても良く２種以上を混合して用いても良い。着色層に用いられるバインダ樹脂としては、例えば、アクリレート系、メタクリレート系、ポリ桂皮酸ビニル系、もしくは環化ゴム系等の反応性ビニル基を有する感光性樹脂が挙げられる。
【００６６】
着色層には、上述した材料の他にも、必要に応じて、光重合開始剤、増感剤、塗布性改良剤、現像改良剤、架橋剤、重合禁止剤、可塑剤、難燃剤等を含有させることができる。
【００６７】
また、着色層が形成されている同一平面上には、上述した色材を含有せず、バインダ樹脂を含有する白色層が配置されていてもよい。
【００６８】
着色層の形成方法としては、一般的なカラーフィルタにおいて用いられる方法と同様とすることができる。例えば、フォトリソグラフィ法、インクジェット法等が挙げられる。
【００６９】
（３）遮光層
本開示における遮光層は、透明基材層の一方の面に配置され、複数の開口部を有する部材である。遮光層は、表示領域に位置する画素区分用遮光部と、非表示領域に位置する額縁遮光部と、を有する。画素区分用遮光部は、着色層の境界領域と平面視上重なる領域に配置される。カラーフィルタ部材においては、透明基材層、遮光層および着色層の順に積層されていることが好ましい。
【００７０】
画素区分用遮光部は、第１の方向および第１の方向に交差する第２の方向に延伸するように並列に配置され、開口部を画定する。開口部の形状としては、特に限定されず、例えば、矩形状、ストライプ状、ドット状等が挙げられる。また、遮光層における開口部の幅としては、一般的なカラーフィルタにおける遮光層の開口部の幅と同様とすることができるため、ここでの記載は省略する。
【００７１】
画素区分用遮光部の線幅としては、本開示のカラーフィルタ基板の用途等に応じて適宜選択することができ、特に限定されないが、例えば、１μｍ以上３０μｍ以下であることが好ましく、中でも１．５μｍ以上２８μｍ以下、特に２μｍ以上２５μｍ以下であることが好ましい。画素区分用遮光部の線幅が上記範囲よりも小さい場合には、十分に開口部を画定することができないおそれがある。また、画素区分用遮光部の線幅が上記範囲よりも大きい場合には、高精細なカラーフィルタを得ることができないおそれがある。なお、画素区分用遮光部の線幅が一定でない場合には、画素区分用遮光部の線幅が、全て上記範囲内であることが好ましい。
【００７２】
また、額縁遮光部は、非表示領域に配置されるものであり、例えば表示領域を囲むように枠状に配置される。
【００７３】
遮光層の厚みとしては、所望の遮光性を示すことができる程度の厚みであれば特に限定されず、遮光層に用いられる材料に応じて適宜調整される。遮光層の具体的な厚みとしては、例えば、０．５μｍ以上３．０μｍ以下とすることができる。
【００７４】
遮光層の構成材料は、所望の遮光性を発揮することができるような材料であればよく、特に限定されない。具体的には、遮光層は、通常、バインダ樹脂に黒色色材を含有した硬化物であるが、黒色色材の他にも必要に応じて有色色材を含有していてもよい。遮光層の構成材料については、一般的なカラーフィルタに用いられる材料と同様とすることができるため、ここでの記載は省略する。
【００７５】
遮光層の形成方法としては、一般的なカラーフィルタにおいて用いられる方法と同様とすることができる。例えば、フォトリソグラフィ法、インクジェット法等が挙げられる。
【００７６】
（４）透明基材層
本開示における透明基材層は、上記の着色層、遮光層および枕部を支持する部材である。
【００７７】
ここで、「透明」という場合には、特段の断りがない限り、本開示のカラーフィルタ基板を用いた液晶表示装置の観察者の、観察面からの視認を妨げない程度の透明性をいう。したがって、「透明」は、無色透明、および視認性を妨げない程度の有色透明を含み、また厳密な透過率で定義されず、本開示のカラーフィルタ基板の用途等に応じて透過性の度合いを決定することができる。
【００７８】
本開示における透明基材層の厚みとしては、各部材を支持できる程度の厚みであれば特に限定されず、本開示のカラーフィルタ基板の用途等に応じて適宜設計が可能である。透明基材層の具体的な厚みは、一般的なカラーフィルタに用いられる透明基材層の厚みと同様とすることができるため、ここでの記載は省略する。
【００７９】
本開示における透明基材層の材料は、一般的なカラーフィルタに用いられる材料であれば特に限定されないが、耐熱性を有することが好ましい。
【００８０】
透明基材層としては、例えば、石英ガラス、パイレックス（登録商標）ガラス、合成石英板等の可撓性のない無機基板、および、透明樹脂フィルム、光学用樹脂板等の可撓性を有する樹脂基板等が挙げられる。中でも無機基板を用いることが好ましく、無機基板の中でもガラス基板を用いることが好ましい。さらには、ガラス基板の中でも無アルカリタイプのガラス基板を用いることが好ましい。無アルカリタイプのガラス基板は寸度安定性および高温加熱処理における作業性に優れ、かつ、ガラス中にアルカリ成分を含まないことから、例えば、液晶表示装置に用いられるカラーフィルタ基板に好適であるからである。
【００８１】
（５）保護層（カラーフィルタ部材用保護層）
本開示におけるカラーフィルタ部材は、着色層の透明基材層側の面とは反対側の面に、保護層をさらに有していてもよい。着色層の透明基材層側の面とは反対側の面に保護層が配置されていることにより、着色層および遮光層を保護するとともに、カラーフィルタ部材の表面を平坦化することができる。また、保護層は、カラーフィルタ部材のオーバーコート層として用いることができる。
【００８２】
保護層は、着色層の透明基材層側の面とは反対側の面に配置される層である。また、保護層は着色層および遮光層を覆うように配置されていることが好ましい。
【００８３】
保護層の材料としては、一般的なカラーフィルタ基板における保護層の材料と同様とすることができ、例えば、感光性ポリイミド樹脂、エポキシ樹脂およびアクリル樹脂等の光硬化型樹脂または熱硬化型樹脂、および無機材料等が挙げられる。また、その他の材料として、重合開始剤や各種添加剤等が挙げられる。
【００８４】
保護層の厚みとしては、カラーフィルタ基板の用途に応じて適宜選択することができる。
【００８５】
保護層の形成方法としては、一般的なカラーフィルタにおける保護層の形成方法と同様とすることができ、例えば、スピンコート法、ダイコート法等の公知の塗布方法を挙げることができる。
【００８６】
２．第１の光学機能部材
本開示における第１の光学機能部材は、上記カラーフィルタ部材の着色層側の面に配置され、液晶材料を含有する第１の位相差層を有する部材である。
【００８７】
本開示における第１の光学機能部材および第２の光学機能部材は、互いの第１の位相差層および第２の位相差層の位相差を相殺し合う（打ち消し合う）機能を有する。本開示における第１の光学機能部材は、例えば、λ／４部材として機能することが好ましい。
【００８８】
本開示における第１の光学機能部材および第２の光学機能部材は、互いの第１の位相差層および第２の位相差層の位相差を相殺し合う（打ち消し合う）光学補償状態を有するように配置される。
【００８９】
（１）第１の位相差層
本開示における第１の位相差層は、液晶材料を含有する層である。
【００９０】
第１の位相差層は、第１の光学機能部材に対し、光学補償状態が得られるような所定の位相差値を有する層である。第１の位相差層は、例えば、λ／４部材としての機能を有する位相差値を有する層であることが好ましく、より具体的には、λ／４分に相当する位相差値を有することが好ましい。
【００９１】
ここで、本明細書において、「位相差値」とは、面内レターデーション値を示す。
「面内レターデーション値」とは、屈折率異方体の面内方向における複屈折性の程度を示す指標であり、面内方向において屈折率が最も大きい遅相軸方向の屈折率をＮｘ、遅相軸方向に直交する進相軸方向の屈折率をＮｙ、屈折率異方体の面内方向に垂直な方向の厚みをｄとした場合に、
Ｒｅ［ｎｍ］＝（Ｎｘ−Ｎｙ）×ｄ［ｎｍ］
で表わされる値である。面内レターデーション値（Ｒｅ値）は、例えば、王子計測機器株式会社製  ＫＯＢＲＡ−ＷＲを用い、平行ニコル回転法により測定することができる。また、微小領域の面内レターデーション値はＡＸＯＭＥＴＲＩＣＳ社（米国）製のＡｘｏＳｃａｎでミューラーマトリクスを使って測定することもできる。また、本願明細書においては特に別段の記載をしない限り、面内レターデーション値は波長５５０ｎｍにおける値を意味するものとする。
【００９２】
（ｉ）第１の位相差層の構成
本開示における第１の位相差層は、液晶材料を含有する層である。
【００９３】
第１の位相差層においては、通常、第１の位相差層の長さ方向に液晶材料が配向された状態で固定されている。第１の位相差層は、第１の光学機能部材にλ／４板としての機能を付与する層であることが好ましい。
【００９４】
（液晶材料）
第１の位相差層に含まれる液晶材料は、第１の位相差層に所望の光学機能性を付与することができる材料であればよく、特に限定されない。中でも、感光性を示す液晶材料であることが好ましく、特に、ネマチック相を示す液晶材料が好適に用いられる。ネマチック液晶は、他の液晶相を示す液晶材料と比較して規則的に配列させることが容易だからである。
【００９５】
また、本開示における液晶材料には、重合性官能基を有する重合性液晶材料を用いることが好ましい。重合性液晶材料は重合性官能基を介して互いに重合することができるため、第１の位相差層の機械強度を向上することができるからである。
【００９６】
このような重合性官能基としては、紫外線、電子線等の電離放射線、あるいは熱の作用によって重合する各種重合性官能基が挙げられる。重合性官能基の代表例としては、ラジカル重合性官能基、またはカチオン重合性官能基等が挙げられる。さらにラジカル重合性官能基の代表例としては、少なくとも一つの付加重合可能なエチレン性不飽和二重結合を持つ官能基が挙げられ、具体例としては、置換基を有するもしくは有さないビニル基、アクリレート基（アクリロイル基、メタクリロイル基、アクリロイルオキシ基、メタクリロイルオキシ基を包含する総称）等が挙げられる。また、カチオン重合性官能基の具体例としては、エポキシ基等が挙げられる。その他、重合性官能基としては、例えば、イソシアネート基、不飽和３重結合等が挙げられる。これらの中でもプロセス上の点から、エチレン性不飽和二重結合を持つ官能基が好適に用いられる。
【００９７】
なお、重合性液晶材料は、重合性官能基を複数有していてもよく、または１つのみを有していてもよい。また、重合性官能基を複数有するものと、１つのみを有するものとを混合して用いてもよい。
【００９８】
また、重合性液晶材料の具体例としては、例えば、特開平７−２５８６３８号公報や特表平１０−５０８８８２号公報、特開２００３−２８７６２３号公報に記載されているような化合物が挙げられる。
【００９９】
上述のような液晶材料は、１種類でもよく、または２種類以上を混合して用いてもよい。本開示において２種類以上の液晶材料を混合して用いる場合は、重合性液晶材料と、重合性官能基を有さない液晶材料とを混合して用いてもよい。
【０１００】
本開示においては、第１の光学機能部材の第１の位相差層と、後述する第２の光学機能部材の第２の位相差層とは、液晶材料が同一であることが好ましい。後述するように、第１の光学機能部材の第１の位相差層および第２の光学機能部材の第２の位相差層の波長分散性および位相差値の熱変化特性の同一性を高くすることができるため、光学補償状態をより良好にすることができるからである。
【０１０１】
ここで、「第１の光学機能部材の第１の位相差層と、第２の光学機能部材の第２の位相差層とは、液晶材料が同一である」とは、第１の位相差層および第２の位相差層に含有される液晶材料が同種で組成が同じ場合だけでなく、波長分散性が等しく熱的変化が同等のものも含む。
【０１０２】
（その他）
第１の位相差層の面内レターデーション値は、光学補償状態が得られるような範囲であればよく、例えば、λ／４分に相当する範囲内であることが好ましい。第１の位相差層の面内レターデーション値がλ／４分に相当する場合、例えば、１００ｎｍ以上１６０ｎｍ以下であることが好ましく、１１０ｎｍ以上１５０ｎｍ以下であることがより好ましく、１２０ｎｍ以上１４０ｎｍ以下であることがさらに好ましい。第１の位相差層の厚みを第１の位相差層の面内レターデーション値がλ／４分に相当するような範囲内の距離にする場合、具体的にどの程度の距離にするかは、第１の位相差層に含まれる液晶材料の種類に応じて適宜決定することができる。例えば、一般的な液晶材料を用いる場合には、第１の位相差層の厚みは０．５μｍ以上５μｍ以下とすることができる。
【０１０３】
第１の位相差層は、本開示のカラーフィルタ基板を、例えば液晶表示装置に用いた際に、バックライトから照射された光を透過する部材となる。したがって、本開示における第１の位相差層は、所定の透明性を有することが好ましい。ここで、「透明」とは、特段の断りがない限り、バックライトから照射された光を透過する程度に透明であることをいう。なお、第１の位相差層の具体的な透過率については、一般的な光学機能部材に用いられる位相差層と同様とすることができるため、ここでの説明は省略する。
【０１０４】
（ii）第１の位相差層の性質
本開示においては、第１の光学機能部材の第１の位相差層と、第２の光学機能部材の第２の位相差層とは、波長分散性および位相差値の熱変化特性が同一であることが好ましい。
【０１０５】
ここで、本開示の発明者らは、二つの光学機能部材の間にカラーフィルタ部材が配置された液晶表示装置において、コントラストが低下する理由について、更に検討を重ね、液晶材料を含有する位相差層は、熱により位相差値が変化することを知見した。
【０１０６】
光学機能部材において、液晶材料を含有する位相差層は、カラーフィルタ部材に積層されて配置される。また、光学機能部材は、液晶パネルを作製する前にカラーフィルタ部材に配置される。そのため、液晶パネルを作製する工程において、カラーフィルタ部材および光学機能部材に対し熱処理がされると、二つの光学機能部材の位相差量に差異が生じ、光学補償状態が崩れるため、コントラストが低下してしまうことを知見した。
【０１０７】
上記知見を得た本開示の発明者らは、第１の光学機能部材の第１の位相差層と、第２の光学機能部材の第２の位相差層との位相差値の熱変化特性を同一とすることにより、コントラストの低下を抑制できることを見出した。液晶表示装置を組み立てたときに、第１の位相差層および第２の位相差層の位相差量が同程度であっても、位相差値の熱変化特性が異なる場合には、製造後の使用環境等の温度により、第１の位相差層と第２の位相差層との位相差量に差異が生じて、光学補償状態が崩れ、コントラストの低下が生じてしまう。一方、第１の位相差層と第２の位相差層との位相差値の熱変化特性が同一である場合には、製造後の使用環境の温度による、第１の位相差層の位相差値の熱変化と第２の位相差層の位相差値の熱変化とが同一であるため、光学補償状態を維持することができ、コントラストの低下を抑制することができる。
【０１０８】
また、二つの光学機能部材における位相差層の波長分散性が異なる場合、加熱による位相差値の変化により、可視光領域の短波長側または長波長側における位相差値の差が大きくなり、コントラストの低下がより顕著になることが懸念される。これに対し、本開示においては、第１の位相差層と第２の位相差層との位相差値の熱変化特性を同一とすることに加え、位相差値の波長分散性を同一とすることにより、コントラストの低下をより低減することができる。
【０１０９】
したがって、本開示において、第１の光学機能部材の第１の位相差層および第２の光学機能部材の第２の位相差層の両方が、液晶材料を含有しており、波長分散性および位相差値の熱変化特性が同一であることにより、液晶表示装置におけるコントラストの低下を抑制することができるカラーフィルタ基板とすることができる。具体的には、第１の光学機能部材の第１の位相差層および第２の光学機能部材の第２の位相差層における位相差値の熱変化特性が同一であることにより、カラーフィルタ基板に熱処理がされた場合、第１の光学機能部材の第１の位相差層および第２の光学機能部材の第２の位相差層の位相差値は同じように変化するため、光学補償状態を維持することができる。さらに、第１の光学機能部材の第１の位相差層および第２の光学機能部材の第２の位相差層は波長分散性が同一であることにより、可視光領域の広い範囲にわたって、光学補償状態を良好にすることができる。よって、可視光領域の短波長側または長波長側における光漏れによるコントラストの低下を抑制することができる。
【０１１０】
また、本開示の発明者らは、液晶材料を含有する位相差層は、一旦、高温で熱処理した後は、その後の熱処理による位相差層の位相差量の変化が抑制され小さくなることを知見した。上記知見を得た発明者らは、第１の位相差層および第２の位相差層の両方が液晶材料を含有していることから、カラーフィルタ基板の製造時においてアニール処理を行うことで、位相差値の熱による変化を抑制することができることを見出した。すなわち、第１の位相差層および第２の位相差層の両方が液晶材料を含有していることにより、アニール処理後における第１の位相差層および第２の位相差層の位相差値に基づいて第１の光学機能部材および第２の光学機能部材の光学補償状態を設計することができる。よって、液晶表示装置におけるコントラストの低下を抑制可能なカラーフィルタ基板とすることができる。
【０１１１】
ここで、位相差層の位相差値が熱により変化する理由については以下のように推測される。すなわち、図７(ａ)に示すように、位相差層１１においては液晶材料１１ａが特定の方向Ｄｏｒに配列された配向状態で固定されている。位相差層に熱が加わることにより、図７(ｂ)、（ｃ）に示すように、液晶材料１１ａの一部において配向状態に乱れが生じることで位相差値が減少すると推測される。また、図７(ｂ)、（ｃ）に示すように、位相差層に加わる熱量（加熱温度）により、配向状態の乱れが異なると推測される。
【０１１２】
一方、位相差層を高温でアニール処理した後は、その後の熱処理による位相差層の変化が抑制される理由については以下のように推測される。すなわち、位相差層が高温でアニール処理されることにより、図８（ａ）に示すように、配向状態の乱れが生じた液晶材料１１ａが位相差層１１中で再度固定され、安定状態を取るためと推測される。そのため、アニール処理後に、位相差層１１に熱が加わった場合も、図８（ｂ）に示すように、位相差層１１中の液晶材料１１ａの配向状態は変化しにくくなると推測される。
【０１１３】
なお、本開示において、上述したように、例えば、第１の位相差層および第２の位相差層の液晶材料が同一である場合、第１の位相差層および第２の位相差層の熱履歴を同程度とすることにより、第１の位相差層および第２の位相差層の位相差値の変化量を同程度とすることができる。この場合は後述するアニール処理を不要とすることもできる。製造工程の一例としては、フォトスペーサ、透明電極の形成の際に、第１の光学機能部材および第２の光学機能部材に同じ熱処理をすることにより、第１の位相差層および第２の位相差層の熱履歴を同程度とすることができる。この場合、上記熱処理による第１の位相差層および第２の位相差層の位相差値の変化量を等しくすることができる。また、第１の位相差層および第２の位相差層は製造工程で同じ加熱を受けていることから、信頼性試験等の加熱を受けても、第１の位相差層および第２の位相差層の位相差値の変化量を等しくすることができる。そのため、光学的補償状態を維持することができる。さらに、第１の位相差層および第２の位相差層にアニール処理することにより、製造工程上の位相差量の変化量を小さくしておくことができる。
【０１１４】
（波長分散性）
本開示において、第１の位相差層と第２の位相差層とは波長分散性が同一であることが好ましい。
【０１１５】
「第１の位相差層および第２の位相差層の波長分散性」について説明する。
ここで、第１の位相差層および第２の位相差層は、液晶材料の種類等によっては、可視光領域の全体で同じ位相差値を示さず、短波長側における位相差値と、長波長側における位相差値とが異なる場合がある。具体的には、第１の位相差層および第２の位相差層に用いられる材料によっては、可視光領域における短波長側の位相差値が長波長側における位相差値よりも大きい場合や、短波長側の位相差値が長波長側における位相差値よりも小さい場合がある。
このように、可視光領域の波長により位相差値が変化する性質を波長分散性とする。
【０１１６】
本開示における「第１の位相差層および第２の位相差層の波長分散性」を以下のように定量する。
第１の位相差層および第２の位相差層の位相差値Ｒｅについて、可視光領域（例えば、４００ｎｍ以上７００ｎｍ以下）における第１の位相差層および第２の位相差層の位相差値Ｒｅを測定する。測定値から、波長５５０ｎｍにおける位相差値Ｒｅ（５５０）に対する、波長ｘｎｍ（ｘは、４００≦ｘ≦７００を満たす）における位相差値Ｒｅ（ｘ）の比率Ｒｅ（ｘ）／Ｒｅ（５５０）を算出する。可視光領域の波長を横軸、Ｒｅ（ｘ）／Ｒｅ（５５０）を縦軸にとったグラフの傾きを波長分散性とする。例えば、図９に示す実線グラフの傾きを波長分散性とする。
【０１１７】
また、「第１の位相差層および第２の位相差層の波長分散性が同一である」とは、上述したグラフにおいて、波長４００ｎｍ以上７００ｎｍ以下において、第１の位相差層のＲｅ（ｘ）／Ｒｅ（５５０）の値と、第２の位相差層のＲｅ（ｘ）／Ｒｅ（５５０）の値との差が±５％の範囲内であることをいい、好ましくは±２％の範囲内である。
【０１１８】
「第１の位相差層および第２の位相差層の波長分散性が同一である」とは、具体的には、図９に示す実線グラフを第１の位相差層のグラフとしたとき、第２の位相差層のグラフの値の全てがハッチングの領域内に存在することを指す。
【０１１９】
（位相差値の熱変化特性）
本開示において、第１の位相差層と第２の位相差層とは位相差値の熱変化特性が同一であることが好ましい。
【０１２０】
「第１の位相差層と第２の位相差層との位相差値の熱変化特性が同一である」とは、本開示のカラーフィルタ基板を用いた液晶表示装置の製造工程における温度で、カラーフィルタに熱処理をした場合、第１の位相差層および第２の位相差層の位相差値の変化分がそれぞれ±５％の範囲内であることをいい、好ましくは±２％の範囲内であることをいう。本開示においては、波長４００ｎｍ以上７００ｎｍ以下の全ての範囲における第１の位相差層および第２の位相差層の位相差値の変化量が上述した範囲内であることが好ましい。
【０１２１】
（２）第１の配向層
本開示においては、第１の光学機能部材が、上記カラーフィルタ部材に直接配置された配向層および第１の位相差層の積層体であることが好ましい。また、後述するように、第２の光学機能部材が、上記カラーフィルタ部材に直接配置された固定層および第２の位相差層の積層体であり、上記固定層が、第２の配向層または接着層であることが好ましい。第１の光学機能部材の第１の位相差層および第２の光学機能部材の第２の位相差層の光軸、厚み等を高い精度で合わせることができるため、第１の光学機能部材および第２の光学機能部材の光学補償状態を良好にすることができるからである。また、第１の光学機能部材の第１の位相差層および第２の光学機能部材の第２の位相差層の光軸、厚み等をより高い精度で合わせる観点からは、第１の光学機能部材が、第１の配向層および第１の位相差層の積層体であり、かつ、第２の光学機能部材が、第２の配向層および第２の位相差層の積層体であることが好ましい。塗布法によって、カラーフィルタ部材に、直接、各配向層および各位相差層を形成することができるため、特に、第１の位相差層および第２の位相差層の光軸を高い精度で合わせることができる。
【０１２２】
ここで、「第１の配向層がカラーフィルタ部材に直接配置されている」とは、第１の配向層と、カラーフィルタ部材を構成する層とが直接接触して配置されていることをいう。「第１の配向層がカラーフィルタ部材に直接配置されている」とは、典型的には、第１の配向層と、カラーフィルタ部材における着色層側の最外層とが直接接触して配置されていることをいう。
【０１２３】
第１の配向層は、上述した液晶材料を配列させる相互作用を発現することができればよいが、光配向材料を含む部材であることが好ましい。
【０１２４】
ここで、「光配向材料」は、光配向法により配向規制力を発現できる材料を指す。また、「光配向法」とは、任意の偏光状態を有する光（偏光）を配向層に照射することにより配向層の配向規制力（異方性）を発現させる方法である。したがって、本開示における光配向材料は、偏光を照射することにより配向規制力を発現できる材料ということができる。さらに、「配向規制力」とは、位相差層に含まれる液晶材料を配列させる相互作用を意味する。
【０１２５】
本開示における第１の配向層は、構成材料に応じて厚みを調整することができる。本開示における第１の配向層の厚みは、例えば、０．０１μｍ以上２．０μｍ以下であることが好ましく、中でも０．０２μｍ以上１．０μｍ以下であることが好ましく、特に０．０３μｍ以上０．２μｍ以下であることが好ましい。本開示における第１の配向層の厚みが上記範囲内であることにより、第１の位相差層に含まれる液晶材料に対して所望の配向規制力を発現することができる。
【０１２６】
なお、本開示における第１の配向層の厚みは、例えば、走査型電子顕微鏡（ＳＥＭ）を用いて断面を観察することにより測定することができる。
【０１２７】
第１の配向層は、本開示のカラーフィルタ基板を、液晶表示装置に用いた際に、バックライトから照射された光を透過する部材となる。したがって、本開示における第１の配向層は、所定の透明性を有することが好ましい。ここで、「透明」とは、特段の断りがない限り、バックライト部から照射された光を透過する程度に透明であることをいう。なお、第１の配向層の具体的な透過率については、一般的な光学機能部材に用いられる配向層と同様とすることができるため、ここでの説明は省略する。
【０１２８】
第１の配向層に含まれる光配向材料は、偏光を照射することにより配向規制力を発現することができる材料であれば特に限定されない。このような光配向材料は、シス−トランス変化によって分子形状のみを変化させて配向規制力を可逆的に変化させる光異性化材料と、偏光を照射することにより、分子そのものを変化させる光反応材料とに大別することができる。本開示においては、光異性化材料および光反応材料のいずれであっても好適に用いることができるが、光反応材料を用いることがより好ましい。
【０１２９】
光反応材料は、偏光が照射されることによって分子が反応して配向規制力を発現するものであるため、不可逆的に配向規制力を発現することが可能になる。したがって、光反応材料の方が配向規制力に経時安定性があり優れている。
【０１３０】
光反応材料は、偏光照射によって生じる反応の種類によってさらに分別することができる。具体的には、光二量化反応を生じることによって配向規制力を発現する光二量化型材料、光分解反応を生じることによって配向規制力を発現する光結合型材料、および光分解反応と光結合反応とを生じることによって配向規制力を発現する光分解−結合型材料等に分けることができる。本開示においては、上述した光反応材料のいずれであっても好適に用いることができるが、中でも安定性および反応性（感度）等の観点から光二量化型材料を用いることが好ましい。
【０１３１】
光二量化型材料は、光二量化反応を生じることにより配向規制力を発現できる材料であれば特に限定されない。本開示においては、中でも光二量化反応を生じる光の波長が、２８０ｎｍ以上であることが好ましく、特に２８０ｎｍ以上４００ｎｍ以下であることが好ましく、さらには３００ｎｍ以上３８０ｎｍ以下であることが好ましい。
【０１３２】
このような光二量化型材料としては、例えば、シンナメート、クマリン、ベンジリデンフタルイミジン、ベンジリデンアセトフェノン、ジフェニルアセチレン、スチルバゾール、ウラシル、キノリノン、マレインイミド、または、シンナミリデン酢酸誘導体を有するポリマー等が挙げられる。本開示においては、中でも、シンナメートおよびクマリンの少なくとも一方を有するポリマー、シンナメートおよびクマリンを有するポリマーが好ましく用いられる。このような光二量化型材料の具体例としては、例えば特開平９−１１８７１７号公報、特表１０−５０６４２０号公報、および特表２００３−５０５５６１号公報に記載された化合物が挙げられる。
【０１３３】
本開示において用いられる光配向材料は、１種類のみであってもよく、２種類以上であってもよい。また、本開示において用いられる光配向材料は、耐熱性が高いことが好ましい。
【０１３４】
（３）第１の保護層（第１の光学機能部材用保護層）
本開示における第１の光学機能部材においては、例えば図１０に示すように、第１の位相差層１１Ａのカラーフィルタ部材２側の面とは反対側の面に、第１の保護層１３Ａが配置されていることが好ましい。第１の保護層が配置されていることにより、カラーフィルタ基板の運搬時等における第１の位相差層の損傷等を抑制することができるからである。第１の保護層は、第１の光学機能部材の表面を覆うオーバーコート層としても用いることができる。
【０１３５】
第１の保護層の材料としては、光学機能部材を保護することができれば特に限定されず、一般的なカラーフィルタの保護層として用いられる材料と同様とすることができ、例えば、感光性ポリイミド樹脂、エポキシ樹脂およびアクリル樹脂等の光硬化型樹脂または熱硬化型樹脂、および無機材料等が挙げられる。また、その他の材料として、重合開始剤や各種添加剤等が挙げられる。
【０１３６】
第１の保護層の厚みについては、カラーフィルタ基板の用途に応じて適宜選択することができる。
【０１３７】
また、第１の保護層の形成方法については、一般的なカラーフィルタにおける保護層の形成方法と同様とすることができ、例えば、スピンコート法、ダイコート法等の公知の塗布方法を挙げることができる。
【０１３８】
３．第２の光学機能部材
本開示のカラーフィルタ基板は、上記カラーフィルタ部材の上記透明基材層側の面に配置され、液晶材料を含有する第２の位相差層を有する第２の光学機能部材をさらに備えることができる。
【０１３９】
本開示における第２の光学機能部材は、例えば、λ／４部材として機能することが好ましい。
【０１４０】
（１）第２の位相差層
本開示における第２の位相差層は、液晶材料を含有する層である。第２の位相差層は第２の光学機能部材に対し、光学補償状態が得られるような所定の位相差値を有する層である。第２の位相差層は、例えば、λ／４部材としての機能を有する位相差値を有する層であることが好ましく、より具体的には、λ／４分に相当する位相差値を有することが好ましい。
【０１４１】
（ｉ）第２の位相差層の構成
本開示における第２の位相差層は、液晶材料を含有する層である。第２の位相差層においては、通常、第２の位相差層の長さ方向に液晶材料が配向された状態で固定されている。第２の位相差層は、第２の光学機能部材にλ／４板としての機能を付与する層であることが好ましい。
【０１４２】
なお、液晶材料については、上記第１の光学機能部材の第１の位相差層に含有される液晶材料と同様とすることができるので、ここでの説明は省略する。
【０１４３】
また、第２の位相差層の面内レターデーション値、厚みおよび透明性については、上記第１の光学機能部材の第１の位相差層と同様とすることができる。
【０１４４】
（ii）第２の位相差層の性質
本開示における第２の位相差層の波長分散性および位相差値の熱変化特性については、上述した通りである。
【０１４５】
（２）固定層
本開示においては、上述したように、第２の光学機能部材が、上記カラーフィルタ部材に直接配置された固定層および上記第２の位相差層の積層体であり、上記固定層が、第２の配向層または接着層であることが好ましい。
【０１４６】
ここで、「固定層がカラーフィルタ部材に直接配置されている」とは、固定層と、カラーフィルタ部材を構成する層とが直接接触して配置されていることをいう。「固定層がカラーフィルタ部材に直接配置されている」とは、典型的には、固定層とカラーフィルタ部材における透明基材層とが直接接触して配置されていることをいう。
【０１４７】
固定層としては、例えば、第２の配向層、接着層が挙げられる。
【０１４８】
（ｉ）第２の配向層
本開示においては、第２の光学機能部材が、カラーフィルタ部材の面に直接配置された第２の配向層と、第２の位相差層との積層体であることが好ましい。好ましい理由については、上述した通りである。
【０１４９】
第２の配向層は、液晶材料を配列させる相互作用を発現することができればよいが、光配向材料を含む部材であることが好ましい。
【０１５０】
なお、光配向材料、光配向法、配向規制力については、上述した通りである。
【０１５１】
第２の配向層の厚み、透明性および光配向材料については、上記第１の光学機能部材の第１の配向層と同様とすることができる。
【０１５２】
（ii）接着層
本開示においては、第２の光学機能部材が、カラーフィルタ部材の面に直接配置された接着層と、第２の位相差層との積層体であることも好ましい。この場合、通常、第２の位相差層は接着層のカラーフィルタ部材側とは反対側の面に直接配置される。このとき、第２の光学機能部材を転写法を用いて形成することができるため、カラーフィルタ基板の製造コストを安くすることができる。また、例えば、カラーフィルタ基板を多面付けして製造する場合、第１の光学機能部材および第２の光学機能部材の光軸を精度良く合わせて配置することができる。
【０１５３】
接着層としては、第２の位相差層およびカラーフィルタ部材を接着させることができれば特に限定されないが、紫外線硬化型接着層であることが好ましい。紫外線硬化型接着層は、接着層の厚みを薄くすることができるため、カラーフィルタ基板の厚みを薄くすることができる。また、カラーフィルタ部材および第２の光学機能部材の間の距離を小さくすることにより、バックライトからの光をより効率的に進行させることができるからである。
【０１５４】
本開示における紫外線硬化型接着層は、紫外線を照射することにより硬化して接着性を示す部材を指す。また、紫外線硬化型接着層は、通常、紫外線を照射する前に所定の粘着性を有する。ここで、所定の粘着性とは、例えば、ＪＩＳ  Ｋ６８５４−２に規定の１８０度剥離試験によるガラス板に対する紫外線硬化型接着層の剥離強度が、１０Ｎ／２５ｍｍ幅以上であることが好ましく、中でも、１５Ｎ／２５ｍｍ幅以上であることが好ましく、特に、２０Ｎ／２５ｍｍ幅以上であることが好ましい。また、本開示においては、紫外線硬化型接着層の剥離強度が、例えば、５０Ｎ／２５ｍｍ幅以下であることが好ましく、中でも、４５Ｎ／２５ｍｍ幅以下であることが好ましく、特に、４０Ｎ／２５ｍｍ幅以下であることが好ましい。
【０１５５】
本開示における紫外線硬化型接着層の厚みは、例えば、１０μｍ以下であることが好ましく、中でも５μｍ以下であることが好ましく、特に２μｍ以下であることが好ましい。また、本開示における紫外線硬化型接着層の厚みは、例えば、０．１μｍ以上であることが好ましい。
【０１５６】
なお、本開示における紫外線硬化型接着層の厚みは、例えば、走査型電子顕微鏡（ＳＥＭ）を用いて断面を観察することにより測定することができる。
【０１５７】
本開示における紫外線硬化型接着層は、本開示のカラーフィルタ基板を液晶表示装置に用いた際に、バックライト部から照射された光を透過する部材となる。したがって、本開示における紫外線硬化型接着層は、所定の透明性を有することが好ましい。ここで、「透明」とは、特段の断りがない限り、バックライト部から照射された光を透過する程度に透明であることをいう。例えば、紫外線硬化型接着層の全光線透過率は、８０％以上であることが好ましく、中でも９０％以上であることが好ましい。
【０１５８】
なお、紫外線硬化型接着層の全光線透過率は、ＪＩＳ  Ｋ  ７３７５：２００８（プラスチック−全光線透過率および全光線透過率の求め方）に準拠した方法により測定することができる。
【０１５９】
本開示における紫外線硬化型接着層は、紫外線硬化型樹脂により構成され、紫外線の照射により硬化された層であればよい。紫外線硬化型接着層に用いられる紫外線硬化型樹脂は、例えば波長１００ｎｍ以上４５０ｎｍ以下の紫外線を照射することにより硬化させることが可能な材料であれば特に限定されない。例えば、反応性エチル（メタ）アクリレート、エチルヘキシル（メタ）アクリレート、スチレン、メチルスチレン、Ｎ−ビニルピロリドン等の単官能モノマー並びに多官能モノマー、ポリメチロールプロパントリ（メタ）アクリレート、ヘキサンジオール（メタ）アクリレート、トリエチレン（ポリプロピレン）グリコール（メタ）ジアクリレート、トリプロピレングリコールジ（メタ）アクリレー
ト、ジエチレングリコールジ（メタ）アクリレート、１，６−ヘキサンジオールジ（メタ）アクリレート、ネオペンチルグリコールジ（メタ）アクリレート、イソシアヌル酸ＥＯ変性ジアクリレート、ペンタエリスリトールトリ（メタ）アクリレート、ジペンタエリスリトールヘキサ（メタ）アクリレート、ビスフェノールフルオレン誘導体、ビスフェノキシエタノールフルオレンジ（メタ）アクリレート、ビスフェノールフルオレンジエポキキ（メタ）アクリレート等が挙げられる。なお、ここで（メタ）アクリレートとは、アクリレートまたはメタクリレートを意味する表記である。
【０１６０】
本開示においては、これらの紫外線硬化型樹脂を１種類のみ用いてもよく、または、２種類以上を混合して用いてもよい。
【０１６１】
（３）第２の保護層（第２の光学機能部材用保護層）
本開示における第２の光学機能部材においては、例えば図１０に示すように、第２の位相差層１１Ｂのカラーフィルタ部材２側の面とは反対側の面に、第２の保護層１３Ｂが配置されていることが好ましい。第２の保護層が配置されていることにより、カラーフィルタ基板の運搬時等における第２の位相差層の損傷等を抑制することができるからである。第２の保護層は、第２の光学機能部材の表面を覆うオーバーコート層としても用いることができる。
【０１６２】
第２の保護層の材料、厚み、形成方法等については、上記第１の光学機能部材の第１の保護層と同様とすることができる。
【０１６３】
（４）第１の光学機能部材および第２の光学機能部材の形成方法
本開示における第１の光学機能部材および第２の光学機能部材の形成方法は、所望の光学補償状態を有する第１の光学機能部材および第２の光学機能部材を得ることができる方法であれば特に限定されない。
【０１６４】
本開示における第１の光学機能部材および第２の光学機能部材の形成方法の一例について図を用いて説明する。図１１は、本開示における第１の光学機能部材および第２の光学機能部材の形成方法の一例を示す工程図である。まず、例えば、図１１（ａ）に示すように、カラーフィルタ部材２を準備する。カラーフィルタ部材２に対し、必要に応じて、洗浄処理を行ってもよい。次に、図１１（ｂ）に示すように、配向材料を含有する第１の配向層用組成物を用いて塗膜１２ｃを形成し、塗膜１２ｃを偏光露光した後、熱処理をすることにより、図１１（ｃ）に示すように、第１の配向層１２Ａを形成する。得られた第１の配向層１２Ａに対し、洗浄処理を行ってもよい。次に、図１１（ｄ）に示すように、第１の配向層１２Ａ上に、液晶材料を含有する第１の位相差層用組成物を用いて塗膜１１ｃを形成する。この際、必要に応じて、塗膜１１ｃに対し乾燥処理を行ってもよい。次に、塗膜１１ｃを露光することにより、図１１（ｅ）に示すように、第１の位相差層１１Ａを形成する。以上の工程により、第１の光学機能部材１Ａを得ることができる。そして、図示しないが、第１の光学機能部材１Ａと同様の工程により、図１１（ｆ）に示すように、第２の光学機能部材１Ｂを得ることができる。
【０１６５】
各配向層用組成物および各位相差層用組成物の塗布方法、各配向層を得るための偏光露光方法および熱処理方法、各位相差層を得るための露光方法、洗浄処理方法、乾燥処理方法等の条件については、一般的な配向層および位相差層の形成方法において用いられる条件と同様とすることができるため、ここでの説明は省略する。
【０１６６】
また、本開示における第２の光学機能部材は、例えば、転写法を用いて形成することもできる。
【０１６７】
４．その他の構成
本開示のカラーフィルタ基板は、上述した第１の光学機能部材および第２の光学機能部材と、カラーフィルタ部材とを有していればよく、必要な構成を適宜選択して追加することができる。その他の構成としては、例えば、図１２に示すように、スペーサ部材５を挙げることができる。スペーサ部材は、通常、液晶表示装置としたとき、液晶層と対向する側の第１の光学機能部材に配置される。また、その他の構成としては、例えば、タッチパネル、直線偏光板、前面板等を挙げることができる。なお、これらの構成については、一般的な液晶表示装置において用いられる構成と同様とすることができるため、ここでの説明は省略する。
【０１６８】
５．カラーフィルタ基板の製造方法
本開示のカラーフィルタ基板の製造方法は、上述した構成を有するカラーフィルタ基板を得ることができれば特に限定されず、例えば、上記カラーフィルタ部材を形成するカラーフィルタ部材形成工程と、上記カラーフィルタ部材の上記着色層側の面に上記第１の光学機能部材を配置する第１の光学機能部材配置工程と、上記カラーフィルタ部材の上記透明基材層側の面に上記第２の光学機能部材を配置する第２の光学機能部材配置工程とを有する製造方法を挙げることができる。なお、各工程に用いられるカラーフィルタ部材の形成方法、第１の光学機能部材の配置方法、第２の光学機能部材の配置方法等については、上述した各項目で説明した内容と同様とすることができるため、ここでの説明は省略する。
【０１６９】
本開示のカラーフィルタ基板の製造方法においては、上記第１の光学機能部材配置工程および上記第２の光学機能部材配置工程の後、上記カラーフィルタ基板にアニール処理をするアニール処理工程を有することが好ましい。また、上記アニール処理の温度が、上記カラーフィルタ基板を用いた液晶表示装置の製造工程における、熱処理の最高温度と同等以上の温度であることが好ましい。
【０１７０】
本開示において、アニール処理工程を行うことにより、得られたカラーフィルタ基板における第１の位相差層および第２の位相差層の位相差値が、その後の液晶表示装置の製造工程の熱処理により変化されることを抑制することができる。よって、アニール処理後における第１の位相差層および第２の位相差層の位相差値に基づいて第１の光学機能部材および第２の光学機能部材の光学補償状態を設計することで、液晶表示装置とした際にコントラストを良好にすることが可能なカラーフィルタ基板を得ることができる。
【０１７１】
本開示におけるアニール処理は、カラーフィルタ基板にアニール処理をする工程であり、より具体的には、カラーフィルタ基板に配置された第１の光学機能部材および第２の光学機能部材にアニール処理をする工程である。また、アニール処理においては、上記アニール処理の温度が、上記カラーフィルタ基板を用いた液晶表示装置の製造工程における、熱処理の最高温度と同等以上の温度とする。
【０１７２】
ここで、「カラーフィルタ基板を用いた液晶表示装置の製造工程における、熱処理の最高温度」とは、本開示により得られたカラーフィルタ基板を用いて、液晶表示装置を製造する際に、カラーフィルタ基板に配置された第１の光学機能部材および第２の光学機能部材に加わる熱処理温度のうち、最も高い温度をいう。以下、単に、「最高温度」と称して説明する場合がある。
【０１７３】
アニール処理の温度は、得られたカラーフィルタ基板とともに液晶表示装置に用いられる基板、材料等の種類、液晶表示装置の製造条件に応じて適宜選択され、限定されない。アニール処理の温度は、例えば、１５０℃以上２５０℃以下であってもよく、２００℃以上２３０℃以下であってもよい。アニール処理の時間、雰囲気等の条件については、材料の種類、液晶表示装置の製造条件に応じて適宜選択される。
【０１７４】
本開示においては、アニール処理の条件を以下の方法により決定してもよい。
例えば、ガラス基板上に、第１の位相差層および第２の位相差層と同様の材料、厚みを有する評価用のサンプルを作製する。評価用サンプルをアニール処理の温度を加え、時間ごとの位相差値の変化を測定し、位相差値に変化が見られなくなる時間を求める（例えば、図１３のグラフにおけるＸ時間）。また、Ｘ時間アニール処理した評価サンプルに対し、例えば、信頼性評価のための加熱を行った場合に第１の位相差層および第２の位相差層の位相差値の変化分が、上述した「２．第１の光学機能部材」の項に記載した値となることを確認する。
【０１７５】
６．カラーフィルタ基板
本開示のカラーフィルタ基板は、液晶表示装置に用いられる。本開示のカラーフィルタ基板は、例えば、透過型液晶表示装置に用いられることが好ましい。
【０１７６】
Ｂ．液晶表示装置
本開示の液晶表示装置は、上述した「Ａ．カラーフィルタ基板」に記載のカラーフィルタ基板と、対向基板と、上記カラーフィルタ基板および上記対向基板の間に配置された液晶層とを有する、液晶パネルを少なくとも備える。
【０１７７】
本開示の液晶表示装置の一例としては、上述した「Ａ．カラーフィルタ基板」の項に記載した図３に示す液晶表示装置１００が挙げられる。
【０１７８】
本開示によれば、液晶パネルが上述したカラーフィルタ基板を有することから、液晶表示装置の内部における外光反射を抑制し、良好な明コントラストを示すとともに、暗コントラストの低下を抑制することが可能な液晶表示装置とすることができる。
【０１７９】
本開示の液晶表示装置における液晶パネルに用いられるカラーフィルタ基板については、上述した「Ａ．カラーフィルタ基板」の項で説明した内容と同様とすることができるため、ここでの説明は省略する。また、本開示における対向基板および液晶層については、一般的な液晶表示装置に用いられるものと同様とすることができるため、ここでの説明は省略する。
【０１８０】
液晶表示装置は、上述した液晶パネル以外にも必要な構成を適宜選択して追加することができる。その他の構成としては、例えば、直線偏光板、バックライト、前面板等を挙げることができる。
【０１８１】
本開示の液晶表示装置は、例えば、テレビ、パソコン、スマートフォン、タブレット端末等に適用することができる。
【０１８２】
Ｃ．積層体
本開示の積層体は、上述のした「Ｂ．液晶表示装置」の項で説明した液晶表示装置に用いられる積層体であって、上記カラーフィルタ部材と、上記カラーフィルタ部材の上記着色層側の面に配置され、液晶材料を含有する第１の位相差層を有する第１の光学機能部材と、を備える。
【０１８３】
図１４は本開示の積層体の一例を示す概略断面図である。図１４に示すように、本開示の積層体６０は、カラーフィルタ部材２と、カラーフィルタ部材２の着色層２２側の面に配置された第１の光学機能部材１Ａとを備える。
【０１８４】
本開示によれば、上述した積層構造を有することにより、積層構造を基準として、第１の光学機能部材側の面とは反対側の面に、さらに第２の光学機能部材を配置することにより、上述した液晶表示装置を得ることができる。
【０１８５】
本開示の積層体を用いて液晶表示装置を製造する際には、例えば、予め直線偏光板と第２の光学機能部材とを積層し、それを積層体の透明基材層側の面に配置することで、図３に例示するような液晶表示装置１００を得ることができる。
【０１８６】
本開示の積層体を構成するカラーフィルタ部材および第１の光学機能部材については、上述した「Ａ．カラーフィルタ基板」の項で説明した内容と同様とすることができるため、ここでの説明は省略する。
【０１８７】
なお、本開示は、上記実施形態に限定されるものではない。上記実施形態は、例示であり、本開示の特許請求の範囲に記載された技術的思想と実質的に同一な構成を有し、同様な作用効果を奏するものは、いかなるものであっても本開示の技術的範囲に包含される。
【実施例】
【０１８８】
以下に実施例および比較例を示し、本開示をさらに詳細に説明する。
【０１８９】
［実施例１〜２］
（共重合樹脂溶液の調製）
重合槽中にメタクリル酸メチル（ＭＭＡ）を６３質量部、アクリル酸（ＡＡ）を１２質量部、メタクリル酸−２−ヒドロキシエチル（ＨＥＭＡ）を６質量部、ジエチレングリコールジメチルエーテル（ＤＭＤＧ）を８８質量部仕込み、攪拌し溶解させた後、２，２’−アゾビス（２−メチルブチロニトリル）を７質量部添加し、均一に溶解させた。その後、窒素気流下、８５℃で２時間攪拌し、更に１００℃で１時間反応させた。得られた溶液に、更にメタクリル酸グリシジル（ＧＭＡ）を７質量部、トリエチルアミンを０．４質量部、およびハイドロキノンを０．２質量部添加し、１００℃で５時間攪拌し、共重合樹脂溶液（固形分５０％）を得た。
【０１９０】
（硬化性樹脂組成物の合成）
下記の材料を室温で攪拌及び混合して硬化性樹脂組成物を得た。
＜硬化性樹脂組成物の組成＞
・上記共重合樹脂溶液（固形分５０％）…１６質量部
・ジペンタエリスリトールペンタアクリレート（商品名：ＳＲ３９９、サートマー社製）…２４質量部
・オルソクレゾールノボラック型エポキシ樹脂（商品名：エピコート１８０Ｓ７０、油化シェルエポキシ社製）…４質量部
・２−メチル−１−（４−メチルチオフェニル）−２−モルフォリノプロパン−１−オン  （商品名：イルガキュア９０７、チバ・スペシャリティー・ケミカルズ社製）…４質量部
・ジエチレングリコールジメチルエーテル（純正化学社製）…５２質量部
【０１９１】
（遮光層用組成物の調製）
まず、下記の分量の成分を混合し、サンドミルにて十分に分散し、黒色顔料分散液を調製した。
＜黒色顔料分散液の組成＞
・黒色顔料…２３質量部
・高分子分散材（ビックケミー・ジャパン（株）Ｄｉｓｐｅｒｂｙｋ１１１）…２質量部
・溶剤（ジエチレングリコールジメチルエーテル）…７５質量部
【０１９２】
次に、下記の分量の成分を十分に混合し、遮光層用組成物を得た。
＜遮光層用組成物の組成＞
・上記黒色顔料分散液…６１質量部
・上記硬化性樹脂組成物…２０質量部
・ジエチレングリコールジメチルエーテル…３０質量部
【０１９３】
（着色層用組成物の調製）
赤色、緑色、および青色のそれぞれの着色層用組成物は、まず顔料と分散剤を下記の分量で混合し、サンドミルにて十分に分散し、着色顔料分散液を調製した。次に、着色顔料分散液と上記硬化性樹脂組成物、溶剤をそれぞれの分量で混合して着色層用組成物を得た。
【０１９４】
＜赤色着色層用組成物の組成＞
・Ｃ．Ｉ．ピグメントレッド２５４…７質量部
・ポリスルホン酸型高分子分散剤…３質量部
・上記硬化性樹脂組成物…２３質量部
・酢酸−３−メトキシブチル…６７質量部
【０１９５】
＜緑色着色層用組成物の組成＞
・Ｃ．Ｉ．ピグメントグリーン５８…７質量部
・Ｃ．Ｉ．ピグメントイエロー１３８…１質量部
・ポリスルホン酸型高分子分散剤…３質量部
・上記硬化性樹脂組成物…２２質量部
・酢酸−３−メトキシブチル…６７質量部
【０１９６】
＜青色着色層用組成物の組成＞
・Ｃ．Ｉ．ピグメントブルー１…５質量部
・ポリスルホン酸型高分子分散剤…３質量部
・上記硬化性樹脂組成物…２５質量部
・酢酸−３−メトキシブチル…６７質量部
【０１９７】
（カラーフィルタ部材の作製）
以下の手順により、カラーフィルタ部材を作製した。
【０１９８】
（遮光層の形成）
透明基材層として、厚み０．７ｍｍのガラス基板（旭硝子（株）  ＡＮ材）を準備した。透明基材層上に上述の遮光層用組成物をスピンコーターで塗布し、８０℃で３分間乾燥させ、遮光層を形成した。遮光層を、フォトマスクを介して露光量６０ｍＪ／ｃｍ２、露光波長３６５ｎｍで露光した後、０．０５ｗｔ％水酸化カリウム水溶液で現像し、その後、２３０℃で３０分間、大気下で焼成することで、複数の開口部を有する遮光層を形成した。遮光層は、表示領域に位置する画素区分用遮光部と、非表示領域に位置する額縁遮光部とを有するものとした。遮光層（画素区分用遮光部および額縁遮光部）の厚みは１．６μｍであった。
【０１９９】
（赤色着色層の形成）
上記のようにして遮光層を形成した透明基材層に対して、上述の赤色着色層用組成物を、スピンコーターで塗布し、その後、８０℃のオーブン中で３分間乾燥させた。次いで、赤色着色層用組成物の塗布膜を、フォトマスクを介して露光波長３６５ｎｍで露光し、０．０５ｗｔ％水酸化カリウム水溶液で現像した。その後、２３０℃で３０分間、大気下で焼成することで、ストライプ状の赤色着色層を形成した。赤色着色層の厚みは２．４μｍであった。
【０２００】
（緑色着色層の形成）
次に、上述の緑色着色層用組成物を用いて、赤色着色層の形成と同様の工程により、ストライプ状の緑色着色層を形成した。緑色着色層の厚みは２．４μｍであった。
【０２０１】
（青色着色層の形成）
さらに、上述の青色着色層用組成物を用いて、赤色着色層の形成と同様の工程により、ストライプ状の青色着色層を形成した。青色着色層の厚みは２．４μｍであった。
【０２０２】
（枕部の形成）
次に、上記のようにして遮光層および着色層を形成した透明基材層に対して、上述の硬化性樹脂組成物をスピンコーターで塗布し、８０℃で３分間乾燥させた。次いで、硬化性樹脂組成物の塗布膜を、フォトマスクを介して露光量６０ｍＪ／ｃｍ２、露光波長３６５ｎｍで露光し、０．０５ｗｔ％水酸化カリウム水溶液で現像した。その後、２３０℃で３０分間、大気下で焼成することで、非表示領域の額縁遮光部上にのみ枕部を形成した。この際、枕部は、枕部に近接する着色層に接しないように形成した。枕部と枕部に近接する着色層との間の間隙の距離（ｄ１）は、１０μｍまたは２０μｍとした。なお、枕部と枕部に近接する着色層との間の間隙の距離は、例えば図１５（ａ）中のｄ１で示されるような、枕部２５と枕部２５に近接する着色層２２（図１５（ａ）では緑色着色層２２Ｇ）との間の間隙の距離をいう。また、枕部に近接する着色層の端部のうち、枕部に最も近接する着色層の端部から、枕部の端部のうち、着色層から最も離れた枕部の端部までの距離（ｄ２）は、８０μｍとした。なお、枕部に最も近接する着色層の端部から、着色層から最も離れた枕部の端部までの距離は、例えば図１５（ａ）中のｄ２で示されるような、枕部２５に最も近接する着色層２２（図１５（ａ）では緑色着色層２２Ｇ）の端部から、着色層２２から最も離れた枕部２５の端部までの距離をいう。また、枕部の厚みは０．８μｍであった。
【０２０３】
（保護層の形成）
その後、保護層として上述の硬化性樹脂組成物をスピンコーターで塗布し、８０℃で３分間乾燥させ、露光量６０ｍＪ／ｃｍ２、露光波長３６５ｎｍで露光した。その後、２３０℃で３０分間焼成することで、保護層を形成した。
【０２０４】
以上の工程により、カラーフィルタ部材を作製した。
【０２０５】
（第１の光学機能部材の作製）
以下の手順により、カラーフィルタ部材の着色層側の面に第１の光学機能部材を作製した。
【０２０６】
（第１の配向層の形成）
第１の配向層は、光反応型の光配向材料をスピンコーターで厚み０．２μｍで塗布し、１１０℃で２分乾燥後、偏光露光装置にて露光量３０ｍＪ／ｃｍ２、露光波長３１３ｎｍの偏光紫外線を照射して形成した。偏光露光装置の角度は、液晶パネルに設置される偏光板の光軸と、第１の位相差層の光軸のなす角度が４５度となるように調整した。
【０２０７】
（第１の位相差層の形成）
第１の位相差層の形成には、重合性棒状液晶材料を適用し、下記の化学式（１）及び化学式（２）の棒状化合物を混合比１：１で混合した化合物と、開始剤であるＢＡＳＦジャパン株式会社イルガキュア９０７と、ＤＩＣ株式会社製メガファック（Ｆ４７７）とを、メチルエチルケトンおよびメチルイソブチルケトンの１：１の混合溶剤に溶解して２５質量％の溶液を調製して適用した。上記溶液を、スピンコーターで塗布し、９０℃で１分間乾燥させた後、露光量５００ｍＪ／ｃｍ２、露光波長３６５ｎｍで露光し、第１の位相差層を形成した。正面位相差Ｒｅ（ｎｍ）は、第１の位相差層形成後に行うプロセスの影響、特に加熱などで変化するためすべての工程が終了した後に、波長５５０ｎｍでλ／４となるよう、第１の位相差層形成後の正面位相差値を調整した。具体的には、第１の位相差層形成後の位相差変化量を予め測定しておき、第１の位相差層形成後の正面位相差値は変化量を見込んだ値とした。
【０２０８】
【化１】
2020003758.tif 000003
【０２０９】
以上の手順により、液晶表示装置に用いられる積層体を得た。
【０２１０】
［比較例１〜２］
枕部を形成しなかったこと以外は、実施例１〜２と同様にして、液晶表示装置に用いられる積層体を作製した。
【０２１１】
［評価］
（膜厚の測定）
第１の位相差層の形成後、表示領域および非表示領域の段差を、小坂研究所社製の微細形状測定機（段差計／膜厚計）「ＥＴ５０００」を用いて測定した。具体的には、まず、表示領域の透明基材層表面から第１の位相差層までの合計膜厚（着色層、保護層、第１の配向層および第１の位相差層の合計膜厚）のうち、最大の合計膜厚（ｔ１）を測定した。なお、最大の合計膜厚は、例えば図１５（ａ）、（ｂ）中のｔ１で示されるような、最大の合計膜厚をいう。次いで、実施例１〜２については、枕部の端部のうち、着色層から最も離れた枕部の端部における透明基材層表面から第１の位相差層までの合計膜厚（額縁遮光部、枕部、保護層、第１の配向層および第１の位相差層の合計膜厚）（ｔ２）を測定した。なお、着色層から最も離れた枕部の端部における合計膜厚は、例えば図１５（ａ）中のｔ２で示されるような、合計膜厚をいう。また、比較例１〜２については、実施例１〜２における着色層から最も離れた枕部の端部と同じ位置における透明基材層表面から第１の位相差層までの合計膜厚（額縁遮光部、保護層、第１の配向層および第１の位相差層の合計膜厚）（ｔ３）を測定した。なお、上記位置における合計膜厚は、例えば図１５（ｂ）中のｔ３で示されるような、合計膜厚をいう。そして、ｔ１とｔ２またはｔ３との差を算出し、その値を段差ｇとした。測定結果を表１に示す。
【０２１２】
（コントラストの測定）
まず、得られた積層体を２枚の偏光板の間に配置し、２枚の偏光板（日東電工社製、「ＮＰＦ」）をパラレルニコルに配置して、バックライト（アイテックシステム社製、「ＬＭＧ１５０Ｘ１８０−２２ＷＤ−４」）を点灯し、輝度計（トプコン社製、「ＢＭ−５Ａ」）により最大輝度を測定した。次に、２枚の偏光板をクロスニコルに配置して、上記と同様に、輝度計により最小輝度を測定した。そして、下記式によりコントラストを算出した。結果を表１に示す。
コントラスト＝最大輝度／最小輝度
【０２１３】
【表１】
2020003758.tif 000004
【０２１４】
［実施例３〜６］
枕部の形成において、枕部に近接する着色層の端部のうち、枕部に最も近接する着色層の端部から、枕部の端部のうち、着色層から最も離れた枕部の端部までの距離（ｄ２）を、２０μｍまたは６０μｍとしたこと以外は、実施例１と同様にして、液晶表示装置に用いられる積層体を作製した。
【０２１５】
また、第１の位相差層の形成後、表示領域および非表示領域の段差を、実施例１と同様に測定した。
【０２１６】
【表２】
2020003758.tif 000005
【０２１７】
枕部に近接する着色層の端部のうち、枕部に最も近接する着色層の端部から、枕部の端部のうち、着色層から最も離れた枕部の端部までの距離（ｄ２）が大きくなると、表示領域および非表示領域の段差が低減する傾向にあることが分かった。
【符号の説明】
【０２１８】
１Ａ  …  第１の光学機能部材
１Ｂ  …  第２の光学機能部材
２    …  カラーフィルタ部材
１０  …  カラーフィルタ基板
１１Ａ…  第１の位相差層
１１Ｂ…  第２の位相差層
１２Ａ…  第１の配向層
１２Ｂ…  第２の配向層
２０  …  対向基板
２１  …  透明基材層
２２  …  着色層
２２Ｒ…  赤色着色層
２２Ｇ…  緑色着色層
２２Ｂ…  青色着色層
２３  …  遮光層
２３ａ  …  画素区分用遮光部
２３ｂ  …  額縁遮光部
２３ｃ  …  開口部
３０  …  液晶層
６０  …  積層体
１００Ａ…  液晶パネル
１００…  液晶表示装置
【図１】
2020003758.tif 000006
【図２】
2020003758.tif 000007
【図３】
2020003758.tif 000008
【図４】
2020003758.tif 000009
【図５】
2020003758.tif 000010
【図６】
2020003758.tif 000011
【図７】
2020003758.tif 000012
【図８】
2020003758.tif 000013
【図９】
2020003758.tif 000014
【図１０】
2020003758.tif 000015
【図１１】
2020003758.tif 000016
【図１２】
2020003758.tif 000017
【図１３】
2020003758.tif 000018
【図１４】
2020003758.tif 000019
【図１５】
2020003758.tif 000020